(57)【特許請求の範囲】
【請求項１】
消費電力の許容量が制限された需要家に設けられており、前記需要家が有する蓄電池及び蓄熱器を制御する制御装置であって、
過去の需給差に基づいて時間帯別に予め定められている電力料金を示す電力料金情報に基づいて、前記料金情報が料金閾値以下である期間である候補期間の中から、前記蓄電池及び前記蓄熱器のいずれか一方を運転する期間を割り当てるように、前記蓄電池及び前記蓄熱器を運転する運転スケジュールを決定するスケジュール決定部を備えることを特徴とする制御装置。
【請求項２】
前記スケジュール決定部は、前記需要家に設けられる負荷機器が消費する電力量の予測値を示す消費電力情報に基づいて、前記予測値が閾値以下である期間である候補期間の中から、前記蓄電池及び前記蓄熱器のいずれか一方を運転する期間を割り当てることを特徴とする請求項１に記載の制御装置。
【請求項３】
前記スケジュール決定部は、前記需要家に設けられる直流電源が発電する電力量の予測値を示す予測発電情報に基づいて、前記予測値が閾値以下である期間である候補期間の中から、前記蓄電池及び前記蓄熱器のいずれか一方を運転する期間を割り当てることを特徴とする請求項１に記載の制御装置。
【請求項４】
前記スケジュール決定部は、前記蓄電池の蓄電量が所定量以下である場合に、前記蓄熱器よりも前記蓄電池を優先して、前記候補期間の中から、前記蓄電池及び前記蓄熱器のいずれか一方を運転する期間を割り当てることを特徴とする請求項１に記載の制御装置。
【請求項５】
消費電力の許容量が制限された需要家に設けられており、前記需要家が有する蓄電池及び蓄熱器を制御する制御装置における制御方法であって、
過去の需給差に基づいて時間帯別に予め定められている電力料金を示す電力料金情報に基づいて、前記料金情報が料金閾値以下である期間である候補期間の中から、前記蓄電池及び前記蓄熱器のいずれか一方を運転する期間を割り当てるように、前記蓄電池及び前記蓄熱器を運転する運転スケジュールを決定するステップ
を含むことを特徴とする制御方法。
【発明の詳細な説明】
【技術分野】
【０００１】
本発明は蓄電池と蓄熱器とを有する需要家に設けられ、前記蓄電池と前記蓄熱器とを制御する制御装置及び制御方法に関する。
【背景技術】
【０００２】
従来、一般家庭などの需要家における電化製品の消費電力を抑制するため、需要家の生活様式にあわせて電気製品を運転させるスケジュールを決定し、決定したスケジュールに応じて電気製品を稼働させる技術が提案されている（例えば、特許文献１参照）。このような技術を適用すれば、需要家は、生活様式にあわせて家電製品を動作させることができるので、省エネルギー化を図ることができる。
【０００３】
ところで、近年、スマートグリッド技術等、電力の有効利用に対する関心が高まっている。また、需要家においても電力を蓄電できる蓄電池が普及し始めており、その容量も年々増加傾向にある。このような蓄電池を用いれば、電力需要が低い時に蓄電した電力を、電力需要が高いときに使用（放電）することができるので、電力を有効に利用することができる。
【０００４】
一方、上述した蓄電池に限らず、電力を熱に変換し、この熱を温水として蓄熱する蓄熱器の利用も広がっている。このような蓄熱器も、上述した蓄電池と同様に、電力需要が低い時に蓄熱するようにしておくことで、電力を有効に利用することができる。
【先行技術文献】
【特許文献】
【０００５】
【特許文献１】特開２００８−２５２４４１号公報
【発明の概要】
【発明が解決しようとする課題】
【０００６】
しかしながら、蓄電池に蓄電する際の消費電力や蓄熱器に蓄熱する際の消費電力は高いため、消費電力の許容量が限られている一般の需要家では、蓄電と蓄熱の両方を同時に実施できない。また、１日の中で電力需要の低い期間は限られているため、蓄電器への蓄電や蓄熱器への蓄熱は、計画的に行わないと電力需要が高い時に実行しなければならず、場合によっては蓄電や蓄熱が実行できない場合があった。つまり、消費電力の許容量や電力需要の低い期間が限られている需要家において、電力をできるだけ有効に利用するためには、蓄電池や蓄熱器を計画的に運転しないと、電力を有効に利用することができないという問題があった。
【０００７】
そこで、本発明は、上述の点に鑑みてなされたものであり、蓄電池や蓄熱器を用いて、電力を有効に利用することが可能な制御装置及び制御方法を提供することを目的とする。
【課題を解決するための手段】
【０００８】
上述した課題を解決するために、本発明は以下のような特徴を有している。
【０００９】
本発明の第１の特徴は、蓄電池（第１の蓄電池１０８、第２の蓄電池１０９）と蓄熱器（蓄熱機器１１４）とを有する需要家（スマートハウス１０）に設けられ、前記蓄電池と前記蓄熱器とを制御する制御装置（スマートコントローラ１０２）であって、前記需要家によって取得可能な参照情報に基づいて、前記蓄電池及び前記蓄熱器を運転する運転スケジュールを決定するスケジュール決定部（スケジュール決定部１６４）を備えることを要旨とする。
【００１０】
本発明に係る制御装置の他の特徴は、上記の特徴において、前記参照情報は、電力料金を示す電力料金情報、前記需要家に設けられる負荷機器（空調装置１１２等）が消費する電力量の予測値を示す消費電力情報、又は、前記需要家に設けられる直流電源（太陽電池１０６）が発電する電力量の予測値を示す予測発電情報のうち、少なくとも一つを含むことを要旨とする。
【００１１】
このような制御装置によれば、電力料金、負荷機器が消費する電力量の予測値、直流電源が発電する電力量の予測値などを考慮して、運転スケジュールを決定することができるので、従来よりも蓄電池及び蓄熱器の運転スケジュールをより計画的に決定することができる。よって、かかる制御装置によれば、蓄電池や蓄熱器を用いて、電力を有効に利用することができる。
【００１２】
本発明に係る制御装置の他の特徴は、上記の特徴において、前記スケジュール決定部は、前記予測発電情報によって示される前記予測値が所定値以上（発電閾値以上）となる期間を、前記蓄電池に蓄電する期間又は前記蓄熱器に蓄熱する期間として、前記運転スケジュールを決定することを要旨とする。
【００１３】
このような制御装置によれば、例えば、直流電源によって発電される電力量が所定値以上の多く発電（余剰に発電）される期間を、蓄電池に蓄電する期間、又は、蓄熱器に蓄熱する期間として、運転スケジュールを決定することができるので、電力をより有効に利用することができる。
【００１４】
本発明の第２の特徴は、蓄電池（第１の蓄電池１０８、第２の蓄電池１０９）と蓄熱器（蓄熱機器１１４）とを備える需要家（スマートハウス１０）に設けられ、前記蓄電池と前記蓄熱器とを制御する制御装置（スマートコントローラ１０２）であって、前記蓄電池の蓄電量を示す蓄電情報、又は、前記蓄熱器の蓄熱量（湯量）を示す蓄熱情報の少なくとも一方に基づいて、前記蓄電池及び前記蓄熱器を運転する運転スケジュールを決定するスケジュール決定部（スケジュール決定部１６４）を備えることを要旨とする。
【００１５】
このような制御装置によれば、蓄電池の蓄電量に基づいて運転スケジュールを決定する。つまり、かかる制御装置によれば、蓄電池の蓄電量が適切な値になるように把握しつつ、蓄電池及び蓄熱器の運転スケジュールを決定するので、蓄電した電力が余ることや、不足することをできるだけ回避できる。更に、かかる制御装置によれば、蓄熱器に蓄熱される蓄熱量も把握して、運転スケジュールを決定することもできる。よって、かかる制御装置によれば、蓄電池や蓄熱器を用いて、電力を有効に利用することが可能になる。
【００１６】
本発明に係る制御装置の他の特徴は、上記の特徴において、前記スケジュール決定部は、前記蓄電情報によって示される前記蓄電量が所定量以下である場合、前記蓄電池を優先して蓄電するように前記運転スケジュールを決定することを要旨とする。
【００１７】
このような制御装置によれば、蓄電量が所定量以下である場合、蓄電池の蓄電を優先するように運転スケジュールを決定するので、蓄電池の電力が不足しないように適切な運転スケジュールを決定できる。
【００１８】
本発明に係る制御装置の他の特徴は、上記の特徴において、前記スケジュール決定部は、電力料金を示す電力料金情報、前記需要家に設けられる負荷機器が消費する電力量の予測値を示す消費電力情報、又は、直流電源が発電する電力量の予測値を示す予測発電情報のうち、少なくとも一つに基づいて、前記運転スケジュールを決定することを要旨とする。
【００１９】
このような制御装置によれば、蓄電池の蓄電量だけでなく、電力料金情報、消費電力情報、予測発電情報も考慮して、適切な運転スケジュールを決定することができる。
【００２０】
本発明の第３の特徴は、蓄電池と蓄熱器とを有する需要家に設けられ、前記蓄電池と前記蓄熱器とを制御する制御装置における制御方法であって、前記需要家によって取得可能な参照情報に基づいて、前記蓄電池及び前記蓄熱器を運転する運転スケジュールを決定するステップ（ステップＳ１０４）を含むことを要旨とするものである。
【００２１】
本発明の第４の特徴は、蓄電池と蓄熱器とを備える需要家に設けられ、前記蓄電池と前記蓄熱器とを制御する制御装置における制御方法であって、前記蓄電池の蓄電量を示す蓄電情報又は前記蓄熱器の蓄熱量を示す蓄熱情報の少なくとも一方に基づいて、前記蓄電池及び前記蓄熱器を運転する運転スケジュールを決定するステップ（ステップＳ１１５）を含むことを要旨とするものである。
【発明の効果】
【００２２】
本発明によれば、蓄電池や蓄熱器を用いて、電力を有効に利用することが可能な制御装置及び制御方法を提供できる。
【図面の簡単な説明】
【００２３】
【図１】本発明の第１及び第２実施形態に係る電力システムの構成図である。
【図２】本発明の第１及び第２実施形態に係るスマートコントローラの構成図である。
【図３】本発明の第１実施形態に係る電力料金の時間遷移を示す図である。
【図４】本発明の第１実施形態に係る太陽電池における発電量の予測値の時間遷移を示す図である。
【図５】本発明の第１実施形態に係るスマートコントローラの動作を示すシーケンス図である。
【図６】本発明の第２実施形態に係る記憶部に記憶されるテーブルを示す図である。
【図７】本発明の第２実施形態に係るスマートコントローラの動作を示すシーケンス図である。
【発明を実施するための形態】
【００２４】
［第１実施形態］
次に、図面を参照して、本発明の実施形態を説明する。具体的には、（１）電力システムの構成、（２）スマートコントローラの構成、（３）スマートコントローラの動作、（４）作用・効果について説明する。以下の実施形態における図面の記載において、同一又は類似の部分には同一又は類似の符号を付している。
【００２５】
（１）電力システムの構成
図１は、本発明の実施形態に係る電力システム１の構成図である。図１に示す電力システム１は、所謂スマートグリッドを採用したシステムである。
【００２６】
図１に示すように、電力システム１は、電力の需要家であるスマートハウス１０と、電力の供給者である電力系統６０と、電力システム１の全体の電力制御を行うエネルギーマネジメントシステム（ＥＭＳ）７０と、スマートハウス１０とＥＭＳ７０との間の通信経路であるインターネット８０とを含む。なお、電力系統６０の配下には、複数のスマートハウス１０が存在し、これら複数のスマートハウス１０は、電力の需要家群を形成している。
【００２７】
電力システム１では、電力系統６０からスマートハウス１０への送電が行われ、当該スマートハウス１０において電力が使用される。また、適宜、スマートハウス１０から電力系統６０への逆潮流が行われてもよい。
【００２８】
また、電力システム１では、スマートハウス１０において電力使用量が計測され、計測データとしてインターネット８０を介してＥＭＳ７０へ送られる。
【００２９】
ＥＭＳ７０は、計測データに基づいて、電力系統６０の電力供給と、需要家群の電力需要とに基づく電力料金を決定する。ここで、ＥＭＳ７０は、電力系統６０から需要家群への電力の供給可能量から需要家群における電力使用量を差し引いた値（需給差）が大きいほど、電力料金を下げ、需給差が小さいほど、電力料金を上げる。つまり、需給差が大きい場合は、電力需要が低いと判断して電力料金を下げ、需給差が小さい場合は、電力需要が高いと判断して電力料金を上げる。具体的には、ＥＭＳ７０は、過去の需給差に基づいて時間帯別に予め定められる電力料金であるＴＯＵ（Ｔｉｍｅ  ｏｆ  Ｕｓｅ）の電力料金を決定することができる。
【００３０】
更に、ＥＭＳ７０は、決定したＴＯＵの電力料金を、電力料金情報として、インターネット８０を介してスマートハウス１０へ送信する。具体的に、ＥＭＳ７０は、例えば２４時間周期で、電力料金情報が適用される時間帯よりも前（例えば１日前）に電力料金情報を送信する。
【００３１】
スマートハウス１０は、制御装置としてのスマートコントローラ１０２と、スマートメータ１０３と、ハイブリッドパワーコンディショナ（ハイブリッドＰＣＳ）１０４と、直流電源としての太陽電池１０６と、電力を蓄電する第１の蓄電池１０８及び第２の蓄電池１０９と、負荷機器としての照明１１０及び空調装置１１２と、蓄熱器としての蓄熱機器１１４とを有する。ここで、第１の蓄電池１０８は、需要家の屋内外に設置する常設型の蓄電池である。第２の蓄電池１０９は、電気自動車（ＥＶ）やプラグインハイブリッド車（ＰＨＶ）などに搭載される蓄電池である。なお、本実施形態では、スマートハウス１０に第１の蓄電池１０８（以下、単に蓄電池１０８とする）が設けられている場合を主に説明するが、これを第２の蓄電池１０９としてもよいことに留意すべきである。また、蓄熱機器１１４は、例えば熱によって水を沸かし、これを温水として蓄熱する温水器などである。また、負荷機器には、図示しないテレビ等の家電機器も含まれていてもよい。
【００３２】
スマートコントローラ１０２は、有線回線又は無線回線である広域通信回線９０を介して、インターネット８０に接続される。また、スマートコントローラ１０２は、有線回線又は無線回線である家庭内通信回線１６０を介して、スマートメータ１０３、ハイブリッドＰＣＳ１０４、照明１１０、空調装置１１２、蓄熱機器１１４に接続する。スマートコントローラ１０２は、これらの機器を制御することができる。例えば、スマートコントローラ１０２は、ハイブリッドＰＣＳ１０４を制御することによって、電力を蓄電する蓄電池１０８を制御することができる。また、スマートコントローラ１０２は、蓄熱機器１１４に蓄えられている温水量を適宜監視し、その温水量に応じて蓄熱機器１１４を制御することもできる。つまり、スマートコントローラ１０２は、需要家に設けられ、蓄電池１０８と蓄熱機器１１４とを制御する制御装置を構成する。なお、スマートコントローラ１０２の構成及び動作については後述する。
【００３３】
スマートメータ１０３は、電力系統６０に接続されるとともに、家庭内配電線１５０に接続される。このスマートメータ１０３は、電力系統６０から供給され、照明１１０、空調装置１１２、蓄熱機器１１４などに使用される電力量を検知し、計測データとして、インターネット８０を介してＥＭＳ７０へ送信する。
【００３４】
ハイブリッドＰＣＳ１０４は、家庭内配電線１５０に接続されるとともに、太陽電池１０６と蓄電池１０８とに接続される。ハイブリッドＰＣＳ１０４は、スマートコントローラ１０２の制御に応じて、太陽電池１０６と蓄電池１０８とを運転させる。また、ハイブリッドＰＣＳ１０４は、太陽電池１０６によって発電された直流電力が予め定められた発電閾値以上である場合、発電閾値以上の直流電力を蓄電池１０８に蓄電させることができる。
【００３５】
また、ハイブリッドＰＣＳ１０４は、スマートコントローラ１０２の制御に応じて、蓄電池１０８の放電による直流電力や、太陽電池１０６によって発電された直流電力を交流電力に変換して家庭内配電線１５０へ送り出すことができる。家庭内配電線１５０へ送り出された交流電力は、適宜、照明１１０、空調装置１１２、蓄熱機器１１４において使用され、あるいは、電力系統６０への逆潮流の電力となる。
【００３６】
また、ハイブリッドＰＣＳ１０４は、電力系統６０からの交流電力を直流電力に変換し、この直流電力を蓄電池１０８に蓄電させることができる。また、ハイブリッドＰＣＳ１０４は、蓄電池１０８の蓄電量を適宜監視し、スマートメータ１０３やスマートコントローラ１０２に送信することができる。
【００３７】
照明１１０、空調装置１１２、蓄熱機器１１４は、家庭内配電線１５０に接続されるとともに、家庭内通信回線１６０に接続される。照明１１０及び空調装置１１２は、スマートコントローラ１０２の制御に応じて、家庭内配電線１５０からの交流電力によって動作する。蓄熱機器１１４は、スマートコントローラ１０２の制御に応じて、家庭内配電線１５０からの交流電力を熱に変換して、この熱を温水に蓄熱する。
【００３８】
（２）スマートコントローラの構成
次に、スマートコントローラ１０２の構成について説明する。図２は、スマートコントローラ１０２の構成図である。図２に示すように、スマートコントローラ１０２は、制御部１５２と、記憶部１５３と、通信部１５４とを有する。
【００３９】
通信部１５４は、広域通信回線９０及びインターネット８０を介してＥＭＳ７０から、電力料金情報や各種制御情報を受信する。また、通信部１５４は、家庭内通信回線１６０を介して、スマートメータ１０３、ハイブリッドＰＣＳ１０４、蓄熱機器１１４などの機器との間で通信を行う。
【００４０】
記憶部１５３は、例えばメモリによって構成され、スマートハウス１０内の各部の制御などに用いられる各種情報を記憶する。具体的に、記憶部１５３は、予測発電情報を記憶する。
【００４１】
ここで、予測発電情報は、太陽電池１０６が発電する電力量の未来（例えば、翌一日）の予測値を示す情報であり、かかる予測値が、時間帯（時刻）に対応づけられている。また、太陽電池１０６が発電する電力量は、日照条件による影響を受けるため、記憶部１５３には、季節（例えば、秋、１０月など）や天候（例えば、晴れ、曇り、雨など）などの条件に応じて、複数種類の予測発電情報が記憶されている。また、予測発電情報は、太陽電池１０６が過去に発電した電力量の実績値を示す情報であってもよい。
【００４２】
制御部１５２は、例えばＣＰＵであり、スマートハウス１０内の各部を制御する。制御部１５２は、取得部１６２とスケジュール決定部１６４とを含む。
【００４３】
取得部１６２は、通信部１５４によって受信された電力料金情報（ＴＯＵ）を取得する。また、取得部１６２は、記憶部１５３から、季節や天候などの条件がその日の状況に最も近い予測発電情報を取得する。取得部１６２は、取得した電力料金情報、予測発電情報をスケジュール決定部１６４に送信する。
【００４４】
スケジュール決定部１６４は、需要家によって取得可能な参照情報に基づいて、所定期間において、蓄電池１０８及び蓄熱機器１１４を運転する運転スケジュールを決定する。ここで、本実施形態において、上述した参照情報には、電力料金情報と予測発電情報とが含まれている場合を例に挙げて説明する。なお、参照情報には、電力料金情報と予測発電情報との内、少なくとも一つが含まれていればよい。また、本実施形態において、上述した所定期間は、１日として説明する。なお、所定期間は、２日間以上としてもよい。また、運転スケジュールには、蓄電池１０８に蓄熱するスケジュールと、蓄熱機器１１４に蓄熱するスケジュールとが含まれている。
【００４５】
具体的に、スケジュール決定部１６４は、取得部１６２から、電力料金情報を取得する。スケジュール決定部１６４は、取得された電力料金情報によって示される電力料金と、予め定められている電力料金の料金閾値とを比較し、蓄電池１０８に蓄電することが可能な候補期間又は蓄熱機器１１４に蓄熱することが可能な候補期間を特定する。
【００４６】
ここで、図３には、電力料金情報に示されるＴＯＵとしての電力料金と料金閾値との関係が示されている。図３に示すように、スケジュール決定部１６４は、電力料金が予め定められている料金閾値以下となる時刻ｔ１１から時刻ｔ１２までの期間を、上述した候補期間として特定する。
【００４７】
また、スケジュール決定部１６４は、特定した候補期間を、複数の候補期間Ａ１乃至Ａ２に分割する。スケジュール決定部１６４は、分割した候補期間Ａ１乃至Ａ２を、それぞれを蓄電池１０８及び蓄熱機器１１４に蓄電する期間として割り当てて、運転スケジュールを決定する。なお、上述の例では、スケジュール決定部１６４が、この候補期間を期間Ａ１乃至Ａ２の二つの期間に分割して運転スケジュールを決定する場合を例に挙げたが、二つに限らず、三つ以上に分割して運転スケジュールを決定してもよい。
【００４８】
また、スケジュール決定部１６４は、取得部１６２から、予測発電情報を取得する。スケジュール決定部１６４は、予測発電情報によって示される電力量の予測値が発電閾値（所定値）以上となる期間を、蓄電池１０８に蓄電する期間又は蓄熱機器１１４に蓄熱する期間として運転スケジュールを決定する。
【００４９】
具体的に、スケジュール決定部１６４は、予測発電情報によって示される電力量の予測値と、予め定められている発電閾値とを比較する。スケジュール決定部１６４は、予測値が発電閾値以上となる期間を、蓄電池１０８に蓄電することが可能な候補期間又は蓄熱機器１１４に蓄熱することが可能な候補期間として特定する。
【００５０】
ここで、図４には、太陽電池１０６が発電する電力量の予測値と発電閾値との関係が示されている。図４に示すように、スケジュール決定部１６４は、予測発電情報に示される予測値が発電閾値以上の期間として、時刻ｔ２１から時刻ｔ２２までの期間と、時刻ｔ２３から時刻ｔ２４までの期間と、時刻ｔ２５から時刻ｔ２６までの期間とを特定する。スケジュール決定部１６４は、これらの期間を、候補期間として特定する。
【００５１】
スケジュール決定部１６４は、特定した候補期間を、複数の候補期間Ｂ１乃至Ｂ４に分割する。スケジュール決定部１６４は、分割した候補期間Ｂ１乃至Ｂ４を、それぞれ蓄電池１０８に蓄電する期間及び蓄熱機器１１４に蓄電する期間として割り当てて、運転スケジュールを決定する。なお、図４の例に限らず、スケジュール決定部１６４は、特定した候補期間を更に複数に分割して、運転スケジュールを決定してもよい。
【００５２】
このようにして、スケジュール決定部１６４は、電力料金情報に基づいて特定した候補期間に、予測発電情報に基づいて特定した候補期間を加えて、運転スケジュールを決定する。
【００５３】
また、スケジュール決定部１６４は、決定した運転スケジュールに従って、蓄電池１０８及び蓄熱機器１１４を運転するように、ハイブリッドＰＣＳ１０４及び蓄熱機器１１４に指示する。
【００５４】
（３）スマートコントローラの動作
次に、電力システム１におけるスマートコントローラ１０２の動作を説明する。図５は、スマートコントローラ１０２の動作を示すシーケンス図である。
【００５５】
ステップＳ１０１において、スマートコントローラ１０２では、取得部１６２が、通信部１５４を介して、電力料金情報をＥＭＳ７０から受信する。また、取得部１６２は、記憶部１５３から、季節や天候などの条件がその日の状況に最も近い予測発電情報を取得する。取得部１６２は、取得した電力料金情報、予測発電情報をスケジュール決定部１６４に送信する。
【００５６】
ステップＳ１０２において、スケジュール決定部１６４は、電力料金情報に示される電力料金に料金閾値以下の期間があるか否かを判定する。また、スケジュール決定部１６４は、予測発電情報に示される予測値に発電閾値以上の期間があるか否かを判定する。なお、スケジュール決定部１６４は、いずれの期間もないと判定した場合は、動作を終了する。
【００５７】
ステップＳ１０３において、スケジュール決定部１６４は、料金閾値以下の期間、又は、発電閾値以上の期間があると判定した場合、これらの期間を蓄電池１０８に蓄電することが可能な候補期間又は蓄熱機器１１４に蓄熱することが可能な候補期間として特定する。
【００５８】
ステップＳ１０４において、スケジュール決定部１６４は、特定した候補期間を複数に分割し、分割した候補期間を、蓄電池１０８に蓄電する期間及び蓄熱機器１１４に蓄熱する期間として割り当てて、運転スケジュールを決定する。
【００５９】
このようにして、スケジュール決定部１６４は、蓄電池１０８及び蓄熱機器１１４の運転スケジュールを決定する。なお、スケジュール決定部１６４は、電力料金情報を受信する度に、ステップＳ１０１乃至Ｓ１０４の動作を実行してもよいし、毎日の所定の時刻（例えば、２２時）に実行してもよい。
【００６０】
（４）作用・効果
本発明の実施形態に係る電力システム１では、電力の需要家であるスマートハウス１０内に蓄電池１０８と蓄熱機器１１４とが設けられており、スマートハウス１０内のスマートコントローラ１０２は、蓄電池１０８の蓄電及び放電と蓄熱機器１１４の蓄熱とを制御する。具体的に、スマートコントローラ１０２は、ＴＯＵの電力料金を示す電力料金情報を取得し、電力料金情報によって示される電力料金が料金閾値以下の候補期間を特定する。また、スマートコントローラ１０２は、予測発電情報の予測値が発電閾値以上の期間を候補期間として特定する。スマートコントローラ１０２は、特定した候補期間を複数に分割して、分割したそれぞれの候補期間を、蓄電池１０８に蓄熱する期間又は蓄熱機器１１４に蓄熱する期間として割り当てて、運転スケジュールを決定する。
【００６１】
このようにして、スマートコントローラ１０２は、系統電源３００から供給される電力の電力料金や、太陽電池１０６が発電する電力量を予測することで、系統側と需要側との電力需要を考慮しつつ、蓄電池１０８に蓄電するスケジュールと蓄熱機器１１４に蓄熱するスケジュールとを含む運転スケジュールを計画的に決定するので、電力系統６０から供給される交流電力と、太陽電池１０６から供給される直流電力とのいずれも有効に利用することができる。よって、かかる電力システム１によれば、蓄電池１０８や蓄熱機器１１４を用いて、電力を有効に利用することができる。
【００６２】
［第１実施形態の変更例１］
次に本実施形態の変更例１について説明する。上述した実施形態では、スケジュール決定部１６４は、電力料金情報と予測発電情報を参照情報とし、この参照情報に基づいて、運転スケジュールを決定したが、消費電力情報を参照情報として、運転スケジュールを決定してもよい。
【００６３】
具体的に、本変更例では、記憶部１５３が、消費電力情報を記憶する。消費電力情報は、照明１１０及び空調装置１１２などの負荷機器が消費する電力量の未来（例えば、翌一日）の予測値を示す情報であり、かかる予測値が、時間帯（時刻）に対応づけられている。
【００６４】
なお、消費電力情報は、負荷機器が過去に消費した電力量の実績値に基づいて決定された情報であってもよい。また、消費電力情報は、負荷機器に設定される動作条件（動作モード）に関する情報であってもよい。動作条件とは、利用者の生活様式などにあわせて、空調装置１１２を動作させる際の温度設定や、照明１１０を入切させる際の時刻設定などを示す。記憶部１５３には、季節（例えば、秋、１０月など）や曜日（例えば、月曜日）などの条件に応じて、複数種類の消費電力情報が記憶されている。
【００６５】
スケジュール決定部１６４は、取得部１６２を介して、記憶部１５３から消費電力情報を取得する。スケジュール決定部１６４は、消費電力情報によって示される電力量の予測値と、予め定められている閾値とを比較する。スケジュール決定部１６４は、予測値が閾値以下となる期間を、蓄電池１０８に蓄電することが可能な候補期間又は蓄熱機器１１４に蓄熱することが可能な候補期間として特定する。また、スケジュール決定部１６４は、特定した候補期間を複数に分割し、分割した期間を蓄電池１０８に蓄電する期間、又は、蓄熱機器１１４に蓄熱する期間として割り当てて、運転スケジュールを決定する。
【００６６】
本変更例に係るスマートコントローラ１０２によれば、消費電力情報によって示される電力量の予測値が閾値以下となる期間、つまり、電力需要が低くなる期間に蓄電池１０８に蓄電及び蓄熱機器１１４に蓄熱するように運転スケジュールを決定するので、需要家における電力需要を考慮して適切な運転スケジュールを決定することができる。
【００６７】
［第１実施形態の変更例２］
次に本実施形態の変更例２について説明する。上述した実施形態では、スマートコントローラ１０２が、予測発電情報に示される電力量の予測値に基づいて、運転スケジュールを決定されるように構成されていたが、実際には、太陽電池１０６によって発電される電力量は、予測発電情報に示される電力量の予測値よりも、多く発電される場合や、少なく発電される場合もある。
【００６８】
そこで、本変更例に係るスケジュール決定部１６４は、太陽電池１０６が実際に発電する電力量に応じて、適宜、運転スケジュールを変更するように構成されている。
【００６９】
具体的に、スケジュール決定部１６４は、運転スケジュールを決定した後も、実際に太陽電池１０６が発電する電力量を定期的に監視する。そして、スケジュール決定部１６４は、予測値が発電閾値未満として予測した期間（図４に示される時刻ｔ２２から時刻ｔ２３）の電力量が、実際には発電閾値以上である場合、かかる期間も蓄電又は蓄電を行うように運転スケジュールを変更する。
【００７０】
一方、太陽電池１０６が発電する電力量が予測値よりも少なく、発電閾値以上として予測した期間（図４に示される時刻ｔ２１から時刻ｔ２２）の電力量が、実際には発電閾値未満である場合、スケジュール決定部１６４は、先に決定した蓄電及び蓄熱を実施する期間を短くするように運転スケジュールを変更する。
【００７１】
本変更例に係るスマートコントローラ１０２によれば、太陽電池１０６が発電する電力量が予測値よりも大きい場合や、小さい場合であっても、適切に運転スケジュールを変更することができる。
【００７２】
［第２実施形態］
次に、本発明の第２実施形態について説明する。
【００７３】
（１）電力システムの構成
本実施形態に係る電力システム１では、スマートコントローラ１０２の構成を除き、第１実施形態と同様の構成である。なお、上述の実施形態では、スマートコントローラ１０２は、蓄電池１０８及び蓄熱機器１１４の一日の運転スケジュールを決定するように構成されていたが、本実施形態では、電力料金が料金閾値以下の期間のみを対象に運転スケジュールを決定する。
【００７４】
具体的に、本実施形態に係るスマートコントローラ１０２では、取得部１６２が、電力料金情報（ＴＯＵ）を取得する。また、取得部１６２は、ハイブリッドＰＣＳ１０４から、蓄電池１０８の蓄電量を示す蓄電情報を取得する。
【００７５】
また、本実施形態に係る記憶部１５３は、図６に示すように、蓄電又は蓄熱の“優先順位”と、機器を識別する“機器名”と、優先順位を決定するための条件を示す“優先条件”とが関連付けられた優先テーブルを記憶する。かかる優先テーブルは、スケジュール決定部１６４によって参照される。
【００７６】
スケジュール決定部１６４は、取得部１６２から、電力料金情報と蓄電情報とを取得する。スケジュール決定部１６４は、取得した電力料金情報と蓄電情報とに基づいて、蓄電池１０８及び蓄熱機器１１４を運転する運転スケジュールを決定する。
【００７７】
具体的に、本実施形態に係るスケジュール決定部１６４は、電力料金情報によって示される電力料金が料金閾値以下となる期間、つまり、図３における時刻ｔ１１から時刻ｔ１２までの期間を候補期間（所定期間）として特定する。また、スケジュール決定部１６４は、特定した候補期間を複数の期間Ａ１乃至Ａ２に分割する。
【００７８】
また、本実施形態に係るスケジュール決定部１６４は、蓄電情報によって示される蓄電量が閾値（所定量）以下であるか否かを判定し、蓄電量が閾値以下である場合、蓄電池１０８を優先して蓄電するように運転スケジュールを決定する。
【００７９】
具体的に、スケジュール決定部１６４は、蓄電情報に示される蓄電量と、記憶部１５３の優先テーブルにおける“優先条件”とを参照する。スケジュール決定部１６４は、“優先条件”における「蓄電量が閾値以下の場合は優先順位１」の条件に基づいて、蓄電情報に示される蓄電量が閾値以下であるか否かを判定する。スケジュール決定部１６４は、蓄電量が閾値以下であると判定した場合、参照した“優先条件”に対応する“機器名”「蓄電池」を、“優先順位”「１」のレコードに対応づけて、優先テーブルに記憶する。なお、蓄電池１０８の蓄電量は、需要家における機器の消費によって低下するため、スケジュール決定部１６４は、定期的に蓄電情報を取得し、優先テーブルを更新する。
【００８０】
また、スケジュール決定部１６４は、図３に示すように、電力料金が料金閾値以下となる時刻ｔ１１から時刻ｔ１２までの期間の中で、“優先順位”「１」に対応づけられている蓄電池１０８の蓄電を先に実施するように、図３に示す期間Ａ１を蓄電池１０８に蓄電する期間として、運転スケジュールを決定する。このとき、スケジュール決定部１６４は、蓄電池１０８の蓄電容量が十分に満たされるように、期間Ａ１の長さを調整して、運転スケジュールを決定してもよい。つまり、優先して運転スケジュールを決定するとは、蓄電又は蓄熱を先に実行することと、蓄電又は蓄熱の期間を長くすることとを含めて、運転スケジュールを決定することである。
【００８１】
一方、スケジュール決定部１６４は、“優先順位”「２」に対応づけられている蓄熱機器１１４の蓄熱を、蓄電池１０８の次に実施するように、図３に示す期間Ａ２を蓄熱機器１１４に蓄熱する期間として、運転スケジュールを決定する。
【００８２】
また、スケジュール決定部１６４は、蓄電量が閾値以下でないと判定した場合、電力料金が料金閾値以下の候補期間において、蓄電池１０８に蓄電する期間と蓄熱機器１１４に蓄熱する期間とを、適宜、均等に割り当てて、運転スケジュールを決定する。
【００８３】
また、スケジュール決定部１６４は、決定した運転スケジュールに従って、蓄電池１０８及び蓄熱機器１１４を運転するように、ハイブリッドＰＣＳ１０４及び蓄熱機器１１４に指示する。
【００８４】
（２）スマートコントローラの動作
次に、本実施形態に係る電力システム１におけるスマートコントローラ１０２の動作を説明する。図７は、スマートコントローラ１０２の動作を示すシーケンス図である。
【００８５】
ステップＳ１１１において、スマートコントローラ１０２は、電力料金情報をＥＭＳ７０から受信するとともに、ハイブリッドＰＣＳ１０４から蓄電池１０８の蓄電量を示す蓄電情報を取得する。
【００８６】
ステップＳ１１２において、スマートコントローラ１０２は、電力料金情報に示される電力料金と予め設定されている料金閾値とを比較する。また、スマートコントローラ１０２は、電力料金が料金閾値以下となる期間を、蓄電池１０８に蓄電可能な候補期間及び蓄熱機器１１４に蓄熱可能な候補期間として特定する。また、スケジュール決定部１６４は、特定した候補期間を、複数の候補期間Ａ１乃至Ａ２に分割する。
【００８７】
ステップＳ１１３において、スマートコントローラ１０２は、記憶部１５３に記憶される優先テーブルの“優先条件”を参照し、蓄電情報によって示される蓄電量が閾値（所定量）以下であるか否かを判定する。
【００８８】
ステップＳ１１４において、スマートコントローラ１０２は、蓄電量が閾値以下であると判定した場合、電力料金が料金閾値以下の時刻ｔ１１から時刻ｔ１２までの期間の中で、優先テーブルの“優先順位”「１」に対応づけられている蓄電池１０８の蓄電を先に実施するように、運転スケジュールを決定する。具体的に、スマートコントローラ１０２は、期間Ａ１を蓄電池１０８に蓄電する期間として、運転スケジュールを決定する。一方、スケジュール決定部１６４は、“優先順位”「２」に対応づけられている蓄熱機器１１４の蓄熱を、蓄電池１０８の次に実施するように、期間Ａ２を蓄熱機器１１４に蓄熱する期間として、運転スケジュールを決定する。
【００８９】
一方、ステップＳ１１５において、スマートコントローラ１０２は、蓄電量が閾値以下でないと判定した場合、蓄電池１０８の蓄電を先に実行するように運転スケジュールを決定してもよいし、蓄熱機器１１４の蓄熱を先に実行するように運転スケジュールを決定してもよい。なお、蓄電池１０８に蓄電する期間の長さと、蓄熱機器１１４に蓄電する期間の長さとは、均等になるように運転スケジュールを決定する。
【００９０】
スマートコントローラ１０２は、上述したステップＳ１１１乃至Ｓ１１５の動作を、電力料金情報を受信した際に実行してもよい。また、蓄電池１０８の蓄電量は、需要家における機器の消費によって低下するので、上述したステップＳ１１１乃至Ｓ１１５の動作は、電力料金情報を受信した際だけでなく、電力料金情報によって示される電力料金が料金閾値以下となる直前、すなわち図３における時刻ｔ１１の直前にも行うことが好ましい。
【００９１】
（３）作用・効果
本発明の実施形態に係る電力システム１では、電力の需要家であるスマートハウス１０内に蓄電池１０８と蓄熱機器１１４とが設けられており、スマートハウス１０内のスマートコントローラ１０２は、蓄電池１０８の蓄電及び放電と蓄熱機器１１４の蓄熱とを制御する。具体的には、スマートコントローラ１０２は、電力料金を示す電力料金情報を取得するとともに、ハイブリッドＰＣＳ１０４から蓄電池１０８の蓄電量を示す蓄電情報を取得する。スマートコントローラ１０２は、電力料金が料金閾値以下の候補期間を特定する。また、スマートコントローラ１０２は、蓄電池１０８の蓄電量が蓄電閾値以下である場合、特定した候補期間において、蓄電池１０８の蓄電を優先するように運転スケジュールを決定する。つまり、スマートコントローラ１０２は、蓄電池１０８の蓄電量が適切な値になるように把握しつつ、電力料金が料金閾値以下の期間において、蓄電池１０８及び蓄熱機器１１４を運転する運転スケジュールを決定するので、蓄電した電力が余ることや、不足することをできるだけ回避できる。よって、かかる電力システム１によれば、蓄電池１０８や蓄熱機器１１４を用いて、供給される電力を有効に利用することができる。
【００９２】
［第２実施形態の変更例１］
次に本実施形態の変更例１について説明する。上述した実施形態では、スケジュール決定部１６４は、電力料金情報に基づいて、運転スケジュールを決定するように構成されていたが、負荷機器が消費する電力量の予測値を示す消費電力情報に基づいて、運転スケジュールを決定してもよい。
【００９３】
具体的に、本変更例では、記憶部１５３が、消費電力情報を記憶する。消費電力情報は、照明１１０及び空調装置１１２などの負荷機器が消費する電力量の未来の予測値を示す情報であり、かかる予測値が、時間帯（時刻）に対応づけられている。
【００９４】
スケジュール決定部１６４は、取得部１６２を介して、記憶部１５３から消費電力情報を取得する。スケジュール決定部１６４は、消費電力情報によって示される電力量の予測値と、予め定められている閾値とを比較する。スケジュール決定部１６４は、予測値が閾値以下となる期間を、蓄電池１０８に蓄電することが可能な候補期間又は蓄熱機器１１４に蓄熱することが可能な候補期間として特定する。また、スケジュール決定部１６４は、特定した候補期間を複数に分割し、分割した期間を、蓄電池１０８に蓄電する期間、又は、蓄熱機器１１４に蓄熱する期間として割り当てて、運転スケジュールを決定する。
【００９５】
なお、スケジュール決定部１６４が、分割した候補期間に対して、蓄電池１０８に蓄電する期間及び蓄熱機器１１４に蓄電する期間を割り当てる動作は、図７におけるステップＳ１１３乃至Ｓ１１５と同様である。
【００９６】
本変更例に係るスマートコントローラ１０２によれば、消費電力情報の予測値が閾値以下となる期間に対しても、蓄電池１０８の蓄電を優先するか否かを判定して、運転スケジュールを決定することができる。
【００９７】
［第２実施形態の変更例２］
次に本実施形態の変更例２について説明する。上述した実施形態では、スケジュール決定部１６４は、電力料金情報に基づいて、運転スケジュールを決定するように構成されていたが、太陽電池１０６が発電する電力量の予測値を示す予測発電情報に基づいて、運転スケジュールを決定してもよい。
【００９８】
具体的に、スケジュール決定部１６４は、取得部１６２を介して、記憶部１５３から予測発電情報を取得する。スケジュール決定部１６４は、予測発電情報によって示される電力量の予測値と、予め定められている発電閾値とを比較する。スケジュール決定部１６４は、予測値が発電閾値以上となる期間を、蓄電池１０８に蓄電することが可能な候補期間又は蓄熱機器１１４に蓄熱することが可能な候補期間として特定する。
【００９９】
例えば、図４に示すように、スケジュール決定部１６４は、予測発電情報に示される予測値が発電閾値以上の期間として、時刻ｔ２１から時刻ｔ２２までの期間と、時刻ｔ２３から時刻ｔ２４までの期間と、時刻ｔ２５から時刻ｔ２６までの期間とを特定する。スケジュール決定部１６４は、これらの期間を、候補期間として特定する。
【０１００】
また、スケジュール決定部１６４は、特定した候補期間を複数の候補期間Ｂ１乃至Ｂ４に分割する。スケジュール決定部１６４は、分割した候補期間Ｂ１乃至Ｂ４を、それぞれ蓄電池１０８に蓄電する期間及び蓄熱機器１１４に蓄電する期間として割り当てて、運転スケジュールを決定する。
【０１０１】
なお、スケジュール決定部１６４が分割した候補期間Ｂ１乃至Ｂ４に対して、蓄電する期間及び蓄電する期間を割り当てる動作は、図７におけるステップＳ１１３乃至Ｓ１１５と同様である。
【０１０２】
本変更例に係るスマートコントローラ１０２によれば、太陽電池１０６が発電する電力量の予測値が閾値以上となる期間においても、蓄電池１０８の蓄電を優先するか否かを判定して、運転スケジュールを決定することができる。
【０１０３】
［第２実施形態に係る変更例３］
次に、本実施形態の変更例３について説明する。上述した実施形態では、スケジュール決定部１６４は、蓄電池１０８の蓄電量を示す蓄電情報に基づいて、運転スケジュールを決定する場合を例に挙げて説明したが、蓄熱機器１１４の蓄熱量を示す蓄熱情報に基づいて、蓄電池１０８及び蓄熱機器１１４を運転する運転スケジュールを決定してもよい。
【０１０４】
具体的に、本変更例に係るスケジュール決定部１６４は、取得部１６２を介して、蓄熱機器１１４から、蓄熱機器１１４の蓄熱量（湯量）を示す蓄熱情報を取得する。また、スケジュール決定部１６４は、蓄熱機器１１４に蓄熱されている湯量が閾値以下であるか否かを判定する。スケジュール決定部１６４は、湯量が閾値以下であると判定した場合、蓄熱機器１１４を優先して蓄熱するように運転スケジュールを決定する。なお、スケジュール決定部１６４は、図７におけるステップＳ１１５において、かかる動作を実行してもよいし、ステップＳ１１３乃至Ｓ１１５において、蓄電池１０８と置き換えてかかる動作を実行してもよい。
【０１０５】
また、この後、スケジュール決定部１６４は、蓄熱機器１１４に蓄熱されている湯量が閾値（例えば５割）を越えた際に、蓄電池１０８に蓄電するように運転スケジュールを決定してもよい。
【０１０６】
このように、スケジュール決定部１６４は、蓄電池１０８の蓄電量を示す蓄電情報又は蓄熱機器１１４の蓄熱量を示す蓄熱情報の少なくとも一方、又は、両方に基づいて、蓄電池１０８及び蓄熱機器１１４を運転する運転スケジュールを決定してもよい。
【０１０７】
本変更例に係るスマートコントローラ１０２によれば、蓄電池１０８の蓄電量だけでなく、蓄熱機器１１４に蓄熱されている蓄熱量も把握しつつ、適切な運転スケジュールを決定することができるので、供給される電力を有効に利用することができる。
【０１０８】
［第２実施形態に係る変更例４］
次に、本実施形態の変更例４について説明する。本変更例では、スマートハウス１０において、第１の蓄電池１０８と電気自動車用の第２の蓄電池１０９との二つの蓄電池が設けられている。
【０１０９】
ここで、一般的に、スマートハウス１０では、消費電力の許容量が制限されている。このようなスマートハウス１０では、消費電力の高い第１の蓄電池１０８と第２の蓄電池１０９とを同時に蓄電すると、消費電力が許容量を超えてしまう可能性が高くなるため、両方を同時に蓄電することは好ましくない。
【０１１０】
また、利用者が電気自動車をいつでも利用できるように、電気自動車用の第２の蓄電池１０９には、電気自動車が所定距離以上の距離を走行できるだけの電力が常に蓄電されていることが好ましい。
【０１１１】
このような点を鑑みて、本変更例に係るスケジュール決定部１６４では、第１の蓄電池１０８と第２の蓄電池１０９とのそれぞれの蓄電量に基づいて、第１の蓄電池１０８と第２の蓄電池１０９との運転スケジュールを決定するように構成されている。
【０１１２】
具体的に、本変更例に係る記憶部１５３は、優先テーブルに“機器名”としての「第２の蓄電池１０９」と、“優先条件”としての「第２の蓄電池の蓄電量が閾値以下の場合は、最優先（優先順位１）」とを対応づけて記憶している（図示せず）。
【０１１３】
なお、記憶部１５３には、第２の蓄電池１０９がハイブリッドＰＣＳ１０４と接続された際に、ハイブリッドＰＣＳ１０４がスマートコントローラ１０２に接続された旨を通知し、スマートコントローラ１０２のスケジュール決定部１６４が、かかる通知に基づいて当該優先テーブルに記録する。
【０１１４】
また、第２の蓄電池の蓄電量の閾値は、電気自動車が所定距離以上の距離を走行できるだけの蓄電量とすることが好ましい。かかる閾値は、過去の所定期間（例えば、一週間）に、利用者が電気自動車を利用した際の走行距離の実績に基づいて、一日あたりの平均値などから算出してもよい。
【０１１５】
また、スケジュール決定部１６４は、取得部１６２を介して、ハイブリッドＰＣＳ１０４から、第１の蓄電池１０８の蓄電量を示す蓄電情報と、第２の蓄電池１０９の蓄電量を示す蓄電情報とを取得する。
【０１１６】
スケジュール決定部１６４は、まず、優先テーブルの“優先条件”を参照し、第２の蓄電池１０９の蓄電量が閾値以下であるか否かを判定する。スケジュール決定部１６４は、第２の蓄電池１０９の蓄電量が閾値以下であると判定した場合、第２の蓄電池１０９の蓄電を優先するように運転スケジュールを決定する。なお、スケジュール決定部１６４は、第２の蓄電池１０９の蓄電量が閾値を越える際に、第１の蓄電池１０８に蓄電するように運転スケジュールを決定してもよい。
【０１１７】
一方、スケジュール決定部１６４は、第２の蓄電池１０９の蓄電量が閾値（第２の閾値）以下でないと判定した場合、第１の蓄電池１０８の蓄電量が閾値（第１の閾値）以下であるか否かを判定する。以後の動作は、図７におけるステップＳ１１３乃至Ｓ１１５と同様である。なお、本変更例では、第１の蓄電池１０８と第２の蓄電池１０９との二つの蓄電池がスマートハウス１０に備えられている場合を例に挙げたが、三つ以上備えていてもよい。
【０１１８】
本変更例に係るスマートコントローラ１０２によれば、スマートハウス１０に第１の蓄電池１０８と電気自動車用の第２の蓄電池１０９とを備える場合、第２の蓄電池１０９の蓄電量が閾値以下の場合であるか否かを先に判定する。また、スマートコントローラ１０２は、蓄電量が閾値以下の場合であると判定した場合、第２の蓄電池１０９を優先して蓄電することができる。
【０１１９】
このように、スマートハウス１０において、第１の蓄電池１０８と第２の蓄電池１０９とが設けられている場合、利用者がいつでも電気自動車を利用できるように利便性を考慮して、電気自動車用の第２の蓄電池１０９を優先して蓄電することができる。なお、本変更例では、第１の蓄電池１０８と第２の蓄電池１０９との優先度に基づく運転スケジュールの決定方法について説明したが、上述のように蓄熱機器１１４も含めて優先度に基づく運転スケジュールを策定することが好ましいことは無論であり、本変更例では説明を省略していることに留意すべきである。
【０１２０】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１２１】
例えば、上述の実施形態では、電力料金情報が、ＴＯＵである場合を例に挙げて説明したが、かかる電力料金情報は、リアルタイムの需給差に基づいて定められるＲＴＰ（Ｒｅａｌ  Ｔｉｍｅ  Ｐｒｉｃｉｎｇ）としてもよい。この場合、スマートコントローラ１０２は、ＴＯＵよりも短い周期（例えば、１０分間隔）で送信されるＲＴＰを受信する度に、図５におけるステップＳ１０１乃至Ｓ１０４の動作を実行すればよい。
【０１２２】
また、上述した実施形態では、スケジュール決定部１６４は、蓄電池１０８に蓄電するスケジュールや蓄熱機器１１４に蓄熱するスケジュールを、運転スケジュールとして決定するように構成されていたが、蓄電池１０８が放電するスケジュールも運転スケジュールに含めて決定してもよい。この場合、スケジュール決定部１６４は、消費電力情報に示される消費電力の予測値が所定値よりも大きくなる期間を、蓄電池１０８が放電する期間として割り当てて、運転スケジュールを決定すると有効である。
【０１２３】
また、上述した実施形態では、直流電源として太陽電池１０６を例に挙げて説明したが、例えば、風力発電装置などの他の直流電源を用いる場合にも、同様に本発明を適用することができる。
【０１２４】
また、上述した実施形態に係るスマートコントローラ１０２の機能は、スマートメータ１０３などの他の機器に組み込むことも可能である。また、スマートコントローラ１０２の機能は、ＨＥＭＳ（Ｈｏｍｅ  Ｅｎｅｒｇｙ  Ｍａｎａｇｅｍｅｎｔ  Ｓｙｓｔｅｍ）やＢＥＭＳ（Ｂｕｉｌｄｉｎｇ  ａｎｄ  Ｅｎｅｒｇｙ  Ｍａｎａｇｅｍｅｎｔ  Ｓｙｓｔｅｍ）等、スマートグリッド技術における様々なＥＭＳ（Ｅｎｅｒｇｙ  Ｍａｎａｇｅｍｅｎｔ  Ｓｙｓｔｅｍ）において適用可能である。
【０１２５】
このように本発明は、ここでは記載していない様々な実施形態等を包含するということを理解すべきである。したがって、本発明はこの開示から妥当な特許請求の範囲の発明特定事項によってのみ限定されるものである。
【０１２６】
なお、各実施形態の構成もそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【符号の説明】
【０１２７】
１…電力システム、１０…スマートハウス、６０…電力系統、７０…ＥＭＳ、８０…インターネット、９０…広域通信回線、１０２…スマートコントローラ、１０３…スマートメータ、１０４…ハイブリッドＰＣＳ、１０６…太陽電池、１０８…蓄電池、１１０…照明、１１２…空調装置、１１４…蓄熱機器、１５０…家庭内配電線、１５２…制御部、１５３…記憶部、１５４…通信部、１６０…家庭内通信回線、１６２…取得部、１６４…スケジュール決定部
【図１】
0005660863.tif 000002
【図２】
0005660863.tif 000003
【図３】
0005660863.tif 000004
【図４】
0005660863.tif 000005
【図５】
0005660863.tif 000006
【図６】
0005660863.tif 000007
【図７】
0005660863.tif 000008